(57)【要約】【課題】充電時間を短くしても危険状態となるようにガスが溜まらず、しかも製造コストの安い防水型電池パックの充電システムを提供する。【解決手段】防水型電池パック１の充電中に充電器３に面接触させる面に第１の窓を設け、充電器から離れた面に第２の窓を設け、充電器の防水型電池パックの前記第１の窓と対応する位置に第３の窓３ｃを設け、前記防水型電池パックの前記各窓を通気性防水シートで塞ぐと共に、前記充電器３に前記第３窓から空気を排出するファン３ｂを設けた。【選択図】図２
2009158444.tif 000002
【特許請求の範囲】
【請求項１】
防水型電池パックの充電中に充電器に面接触させる面に第１の窓を設け、充電器から離れた面に第２の窓を設け、充電器の防水型電池パックの前記第１の窓と対応する位置に第３の窓を設け、前記防水型電池パックの前記各窓を通気性防水シートで塞ぐと共に、前記充電器に前記第３窓から空気を排出するファンを設けたことを特徴とする防水型電池パックの充電システム。
【請求項２】
前記防水型電池パックの充電器から離れた面に設ける第２の窓を前記防水型電池パックの天面に設けた請求項１の防水型電池パックの充電システム。
【発明の詳細な説明】
【技術分野】
【０００１】
この発明は防水型電池パックの充電システムに関する。
【背景技術】
【０００２】
従来の防水型電池パックの充電システムの例を図３および図４に示す。図３に示す防水型電池パック４はその側面に窓４ａが設けられており、通気性防水シート２が矢印で示すように防水型電池パック４の側面に貼付けられて窓４ａを塞いでいる。通気性防水シート２は空気を通すが水を通さないので、防水型電池パック４の防水がなされている。
【０００３】
図４に防水型電池パック４が充電器５により充電されている状態が示されている。この状態で防水型電池パック４は充電器５の図示していない位置決め部材で位置決めされて、防水型電池パック４の下面が充電器５の所定位置に位置決めされている。そして、充電器５の充電端子５ａが図示していない防水型電池パック４の充電端子に圧接されて防水型電池パック４が充電器５により充電される。
【０００４】
上記した図３および図４に示す従来の防水型電池パックの充電システムでは、防水型電池パック４内に発生したガスが強制的に排出されないため、防水型電池パック４内にガスが溜まりやすく危険である。特に、Ｎｉ−ＭＨ電池（ニッケル・水素電池）では爆発性の水素ガスが発生するために危険である。
【０００５】
防水型電池パック４内に危険となるまでガスが溜まらないようにするためには、充電電流を小さくしなければならず充電に時間がかかっていた。
【０００６】
特開２００７−１４１６６０号公報に開示された、電池パックの充電システムでは、電池パックおよび充電器を通る通気路を設け、通気路を通る空気の流れの方向を切り替えて電池パックを加熱したり、冷却したりする構成となっている。
【０００７】
この空気の流れの方向を切り替えは電池パックの温度を検出して行ったり、充電時間の経過により行うが、そのための制御装置が必要となるため製造コストが高くなるという問題があった。また、防水仕様の電池には対応できないという問題があった。
【特許文献１】特開２００７−１４１６６０号公報、段落００１５〜段落２７、図１〜図４
【発明の開示】
【発明が解決しようとする課題】
【０００８】
この発明は上記した点に鑑みてなされたものであって、その目的とするところは、充電時間を短くしても危険状態となるようにガスが溜まらず、しかも製造コストの安い防水型電池パックの充電システムを提供することにある。
【課題を解決するための手段】
【０００９】
この発明の防水型電池パックの充電システムは、防水型電池パックの充電中に充電器に面接触させる面に第１の窓を設け、充電器から離れた面に第２の窓を設け、充電器の防水型電池パックの前記第１の窓と対応する位置に第３の窓を設け、前記防水型電池パックの前記各窓を通気性防水シートで塞ぐと共に、前記充電器に前記第３窓から空気を排出するファンを設けたものである。
【００１０】
また、前記防水型電池パックの充電システムにおいて、前記防水型電池パックの充電器から離れた面に設ける第２の窓を前記防水型電池パックの天面に設けたものである。
【発明の効果】
【００１１】
この発明の防水型電池パックの充電システムは、充電時間を短くしても危険状態となるようにガスが溜まらず、しかも製造コストが安い。
【発明を実施するための最良の形態】
【００１２】
以下この発明を実施するための最良の形態を実施例に即して説明する。
【実施例１】
【００１３】
図１はこの発明の実施例である防水型電池パックの充電システムに用いられる防水型電池パックを示す分解斜視図、図２は同防水型電池パックの充電システムを示す断面図である。
【００１４】
図１に示す防水型電池パック１は底面に第１の窓１ａが設けられ、さらに、天面に第２の窓１ｂが設けられている。通気性防水シート２が矢印で示すように防水型電池パック１の底面に貼付けられて第１の窓１ａを塞いでいる。第２の窓１ｂも同様に通気性防水シート２で塞がれる。通気性防水シート２は空気を通すが水を通さないので、防水型電池パック４の防水がなされている。
【００１５】
図２に防水型電池パック１が充電器３により充電されている状態が示されている。この状態で防水型電池パック１は充電器３の図示していない位置決め部材で位置決めされて、防水型電池パック１の下面が充電器３の所定位置に位置決めされている。
【００１６】
防水型電池パック１が位置決めされた状態で、防水型電池パック１の第１の窓１ａと対応する位置に充電器の第３の窓３ｃが設けられ、第３の窓３ｃの下方にファン３ｂが配置されている。
【００１７】
このように配置された防水型電池パック１の充電端子に充電器１の充電端子１ａが圧接されて防水型電池パック１が充電器３により充電される。充電期間中、ファン３ｂは空気を防水型電池パック１の第１の窓１ａを通して上方に送り、空気が図に矢印に示すように、防水型電池パック１内を通り、防水型電池パック１の第２の窓１ｂから排出される。この気流により防水型電池パック１に発生したガスも気流と共に排出する。
【００１８】
ファン３ｂの送風量を適切な量とすることにより、防水型電池パック１内にガスが危険となる迄溜まることが防止され、かつ、充電時間を短くすることができる。
【００１９】
実施例は以上のように構成されているが、発明はこれに限られず、例えば防水型電池パックの充電器から離れた面に設ける窓を電池パックの構造によっては、電池パックの上部側面に設けてもよい。
【図面の簡単な説明】
【００２０】
【図１】この発明の実施例である防水型電池パックの充電システムに用いられる防水型電池パックを示す分解斜視図である。
【図２】同防水型電池パックの充電システムを示す断面図である。
【図３】従来の防水型電池パックの充電システムに用いられる防水型電池パックの例を示す斜視図である。
【図４】同防水型電池パックの充電システムを示す断面図である。
【符号の説明】
【００２１】
１  防水型電池パック、１ａ  第１の窓、１ｂ  第２の窓
２  通気性防水シート
３  充電器、３ａ  充電端子、３ｂ  ファン、３ｃ  第３の窓
４  防水型電池パック、４ａ  窓
５  充電器、５ａ  充電端子
【図１】
2009158444.tif 000003
【図２】
2009158444.tif 000004
【図３】
2009158444.tif 000005
【図４】
2009158444.tif 000006